(57)【要約】【課題】無線リソースの消費の制御をより好適に行う技術を提供する。【解決手段】無線端末と、前記無線端末と通信を行う基地局装置と、前記基地局装置と接続された通信制御装置と、を備え、前記無線端末は、自端末が充電機能を有するか否かを示す充電情報を、前記基地局装置を介して前記通信制御装置に送信する送信手段を備え、前記通信制御装置は、前記充電情報を、前記無線端末から受信する受信手段と、前記受信手段が受信した前記充電情報に基づいて、当該充電情報を送信した前記無線端末に対する呼び出し信号に優先度を設定する優先度設定手段と、を備えることを特徴とする無線通信システム。【選択図】      図１
2015226140.tif 000002
【特許請求の範囲】
【請求項１】
無線端末と、
前記無線端末と通信を行う基地局装置と、
前記基地局装置と接続された通信制御装置と、を備え、
前記無線端末は、自端末が充電機能を有するか否かを示す充電情報を、前記基地局装置を介して前記通信制御装置に送信する送信手段を備え、
前記通信制御装置は、
前記充電情報を、前記無線端末から受信する受信手段と、
前記受信手段が受信した前記充電情報に基づいて、当該充電情報を送信した前記無線端末に対する呼び出し信号に優先度を設定する優先度設定手段と、を備えることを特徴とする無線通信システム。
【請求項２】
前記優先度設定手段は、充電機能を有する無線端末に対する呼び出し信号の優先度が、充電機能を有しない無線端末に対する呼び出し信号の優先度より高くなるように設定する、ことを特徴とする請求項１に記載の無線通信システム。
【請求項３】
前記通信制御装置は、前記受信手段が受信した充電情報を、前記充電情報を送信した無線端末を識別する端末識別情報に関連付けて管理する管理手段を更に備える、ことを特徴とする請求項１または２に記載の無線通信システム。
【請求項４】
前記管理手段は、前記無線端末と通信を行う前記基地局装置が前記呼び出し信号を送信可能な範囲を示す呼び出し範囲情報を、当該無線端末を識別する前記端末識別情報に関連付けて管理し、
更に、前記管理手段は、前記呼び出し範囲情報が所定期間内に更新されたか否かを示す更新情報を管理し、
前記優先度設定手段は、前記更新情報に基づいて、前記優先度を設定する、ことを特徴とする請求項３に記載の無線通信システム。
【請求項５】
前記更新情報が、前記呼び出し範囲情報が所定期間内に更新されたことを示す情報の場合、前記優先度設定手段は、当該呼び出し範囲情報に関連付けられた前記無線端末に対する呼び出し信号に設定する前記優先度を高くし、
前記更新情報が、前記呼び出し範囲情報が所定期間内に更新されていないことを示す情報の場合、前記優先度設定手段は、当該呼び出し範囲情報に関連付けられた前記無線端末に対する呼び出し信号に設定する前記優先度を、前記充電情報に基づいて設定する、ことを特徴とする請求項４に記載の無線通信システム。
【請求項６】
前記通信制御装置は、
前記優先度設定手段によって優先度が設定された呼び出し信号を、前記優先度に従って、当該呼び出し信号の送信先となる前記無線端末に対して送信する送信手段を更に備えることを特徴とする請求項１から５の何れか１項に記載の無線通信システム。
【請求項７】
無線端末と通信を行う基地局装置に接続された通信制御装置であって、
前記無線端末が充電機能を有するか否かを示す充電情報を、前記無線端末から受信する受信手段と、
前記受信手段が受信した前記充電情報に基づいて、当該充電情報を送信した前記無線端末に対する呼び出し信号に優先度を設定する優先度設定手段と、を備えることを特徴とする通信制御装置。
【請求項８】
無線端末と、前記無線端末と通信を行う基地局装置と、前記基地局装置と接続された通信制御装置と、を備える無線通信システムにおける通信方法であって、
前記無線端末は、自端末が充電機能を有するか否かを示す充電情報を、前記基地局装置を介して前記通信制御装置に送信し、
前記通信制御装置は、前記充電情報を、前記無線端末から受信し、
前記充電情報に基づいて、当該充電情報を送信した前記無線端末に対する呼び出し信号に優先度を設定する、ことを特徴とする通信方法。
【請求項９】
無線端末と通信を行う基地局装置に接続された通信制御装置の制御方法であって、
前記無線端末が充電機能を有するか否かを示す充電情報を、前記無線端末から受信し、
前記充電情報に基づいて、当該充電情報を送信した前記無線端末に対する呼び出し信号に優先度を設定する、ことを特徴とする制御方法。
【請求項１０】
無線端末と通信を行う基地局装置に接続された通信制御装置を含むコンピュータに、
前記無線端末が充電機能を有するか否かを示す充電情報を、前記無線端末から受信する処理と、
前記充電情報に基づいて、当該充電情報を送信した前記無線端末に対する呼び出し信号に優先度を設定する処理と、を実行させることを特徴とするプログラム。
【発明の詳細な説明】
【技術分野】
【０００１】
本発明は、無線通信システム、通信制御装置、通信方法、制御方法およびプログラムに関する。
【背景技術】
【０００２】
近年、無線端末の増加に伴い、無線端末を呼び出す信号の数も増加している。しかしながら、呼び出し信号を処理する装置の数には限りがあるため、当該装置が処理する信号にも限りがある。そのため、無線リソースの消費を制御する方法が考えられている。
【０００３】
例えば、特許文献１には、通信装置からある移動端末装置に宛てた呼び出し信号を受信すると、上記呼び出し信号を受信した各基地局装置は、自装置の配下の無線ゾーンを探索して、着信先の移動端末装置の有無を確認することが記載されている。この特許文献１に記載の基地局装置は、着信先の移動端末装置があると確認した場合に、この着信先の移動端末装置との間に無線リンクを確立する。これにより、特許文献１の技術では、無線リソースを消費する基地局の数を削減している。
【先行技術文献】
【特許文献】
【０００４】
【特許文献１】特開２０１２−１０５３４６号公報
【発明の概要】
【発明が解決しようとする課題】
【０００５】
呼び出し信号の流量が増加した環境における無線リソースの消費の制御を行うには、無線端末の呼び出し信号数の抑制や呼び出し信号の取捨などを行うことが考えられる。
【０００６】
しかしながら、特許文献１の技術では、基地局装置が無線リンクを確立する相手の装置がどのような装置であるかの確認を行わないため、例えば、スマートメータや自動販売機のような固定して設置される無線端末との無線リンクを優先して確立する可能性がある。
【０００７】
また、無線リソースの消費を削減するために、無線端末の移動を確認し、移動している無線端末の通信を優先させ、移動していない無線端末の通信を優先しない（例えば、破棄する）ことが考えられる。しかしながら、このような方法では、携帯電話端末などの移動体（移動無線端末）であっても、所定期間移動が確認されない場合、当該移動無線端末に対する通信が優先されず、破棄される可能性がある。つまり、無線リソースの消費の制御によって、優先されるべき通信が破棄されてしまうという問題があった。
【０００８】
本発明は、上記課題に鑑みてなされたものであり、その目的は、無線リソースの消費の制御をより好適に行う技術を提供することにある。
【課題を解決するための手段】
【０００９】
本発明の一態様に係る無線通信システムは、無線端末と、前記無線端末と通信を行う基地局装置と、前記基地局装置と接続された通信制御装置と、を備え、前記無線端末は、自端末が充電機能を有するか否かを示す充電情報を、前記基地局装置を介して前記通信制御装置に送信する送信手段を備え、前記通信制御装置は、前記充電情報を、前記無線端末から受信する受信手段と、前記受信手段が受信した前記充電情報に基づいて、当該充電情報を送信した前記無線端末に対する呼び出し信号に優先度を設定する優先度設定手段と、を備える。
【００１０】
本発明の一態様に係る通信制御装置は、無線端末と通信を行う基地局装置に接続された通信制御装置であって、前記無線端末が充電機能を有するか否かを示す充電情報を、前記無線端末から受信する受信手段と、前記受信手段が受信した前記充電情報に基づいて、当該充電情報を送信した前記無線端末に対する呼び出し信号に優先度を設定する優先度設定手段と、を備える。
【００１１】
本発明の一態様に係る通信方法は、無線端末と、前記無線端末と通信を行う基地局装置と、前記基地局装置と接続された通信制御装置と、を備える無線通信システムにおける通信方法であって、前記無線端末は、自端末が充電機能を有するか否かを示す充電情報を、前記基地局装置を介して前記通信制御装置に送信し、前記通信制御装置は、前記充電情報を、前記無線端末から受信し、前記充電情報に基づいて、当該充電情報を送信した前記無線端末に対する呼び出し信号に優先度を設定する。
【００１２】
本発明の一態様に係る制御方法は、無線端末と通信を行う基地局装置に接続された通信制御装置の制御方法であって、前記無線端末が充電機能を有するか否かを示す充電情報を、前記無線端末から受信し、前記充電情報に基づいて、当該充電情報を送信した前記無線端末に対する呼び出し信号に優先度を設定する。
【００１３】
なお、上記無線通信システム、上記通信制御装置、上記通信方法または上記制御方法を、コンピュータによって実現するコンピュータプログラム、およびそのコンピュータプログラムが格納されている、コンピュータ読み取り可能な記憶媒体も、本発明の範疇に含まれる。
【発明の効果】
【００１４】
本発明によれば、無線リソースの消費の制御をより好適に行うことができる。
【図面の簡単な説明】
【００１５】
【図１】第１の実施の形態に係る無線通信システムの構成の概略を示す図である。
【図２】第２の実施の形態に係る無線通信システムの構成の概略を示す図である。
【図３】第２の実施の形態に係る無線通信システムの通信制御装置の機能構成の一例を示す機能ブロック図である。
【図４】第２の実施の形態に係る無線通信システムにおける情報登録処理の流れの一例を示すフローチャートである。
【図５】第２の実施の形態に係る無線通信システムにおいて、記憶部に記憶された充電情報データベースの一例を示す図である。
【図６】第２の実施の形態に係る無線通信システムにおける優先度設定処理の流れの一例を示すフローチャートである。
【図７】本発明の各実施形態に係る無線通信システムに含まれる各装置のハードウェア構成の一例を示す図である。
【発明を実施するための形態】
【００１６】
＜第１の実施の形態＞
本発明の第１の実施の形態について、図面を参照して詳細に説明する。図１は、本実施の形態に係る無線通信システムの構成の概略を示す図である。図１に示す通り、無線通信システム１００は、複数の無線端末１１０と、基地局装置１２０と、通信制御装置１３０とを備えている。
【００１７】
なお、図１の無線通信システム１００では、無線端末１１０が２つの無線端末（無線端末Ａ、無線端末Ｂ）であることを示しているが、本発明はこれに限定されるものではない。無線端末１１０は１以上であればよい。また、図１の無線通信システム１００には、１つの基地局装置１２０が含まれることを示しているが、本発明はこれに限定されるものではない。無線通信システム１００に含まれる基地局装置１２０の数は、複数であってもよい。
【００１８】
本実施の形態に係る無線通信システム１００において使用可能な通信システムは、例えば、第３世代（３Ｇ）方式の通信システムであってもよいし、ＬＴＥ（Ｌｏｎｇ  Ｔｅｒｍ  Ｅｖｏｌｕｔｉｏｎ）方式の通信システムであってもよい。また、本実施の形態に係る無線通信システム１００は、その他の通信規格に準拠した通信システムであってもよい。
【００１９】
無線端末１１０は、基地局装置１２０と無線通信を行う機器である。無線端末１１０として、例えば、携帯電話端末やタブレット端末などの移動体や、スマートメータや自動販売機のような固定して設置される無線端末が挙げられるが、本発明はこれに限定されるものではない。本実施の形態では、無線端末１１０のうち、携帯電話端末などの移動体を移動無線端末と呼び、スマートメータや自動販売機のような固定して設置される無線端末を固定無線端末と呼ぶ。また、本実施の形態では、移動無線端末と、固定無線端末とを互いに区別しない場合、または、総称する場合には、これらを無線端末１１０と呼ぶ。
【００２０】
無線端末１１０は、図１に示す通り、送信部１１１を備えている。送信部１１１は、自端末が充電機能を有するか否かを示す充電情報を、基地局装置１２０を介して、通信制御装置１３０に送信する。送信部１１１は、例えば、自端末の位置を示す位置情報を基地局装置１２０に送信する際に、当該位置情報に充電情報を付加して送信してもよいし、充電情報のみを送信してもよい。無線端末１１０の送信部１１１が基地局装置１２０に対して情報を送信する方法は、特に限定されず、公知の技術を用いるため、本実施の形態では説明を省略する。
【００２１】
ここで、携帯電話端末のような移動無線端末は、バッテリーが搭載されている場合が多い。つまり、このような移動無線端末は、充電機能を有すると言える。したがって、無線端末１１０が移動無線端末の場合、送信部１１１は、充電情報として充電機能を有することを示す情報を通信制御装置１３０に送信する。
【００２２】
一方、自動販売機等の固定無線端末は、電源から電力の供給を受けている場合が多い。つまり、このような固定無線端末は、充電機能を有していないと言える。したがって、無線端末１１０が固定無線端末の場合、送信部１１１は、充電情報として充電機能を有していないことを示す情報を通信制御装置１３０に送信する。
【００２３】
基地局装置１２０は、無線端末１１０の夫々と、通信を行う基地局である。基地局装置１２０と通信可能な無線端末１１０は、基地局装置１２０が呼び出し信号を送信可能な範囲にある。この、無線端末１１０に対する呼び出し信号を送信可能な範囲を基地局装置１２０の信号送信エリアとも呼ぶ。
【００２４】
通信制御装置１３０は、基地局装置１２０と接続している。通信制御装置１３０は、無線端末１１０と基地局装置１２０とが通信するように、基地局装置１２０を制御する。通信制御装置１３０は、図１に示す通り、受信部１３１と、優先度設定部１３２とを備えている。なお、図１に示す通信制御装置１３０は、本発明に特有な構成について表現したものであり、通信制御装置１３０が、例えば、無線端末１１０の認証制御など、図１に示されていない機能を有していてもよいことは言うまでもない。
【００２５】
受信部１３１は、無線端末１１０から送信された充電情報を受信する。受信部１３１は、受信した充電情報を優先度設定部１３２に供給する。
【００２６】
優先度設定部１３２は、受信部１３１から充電情報を受け取る。優先度設定部１３２は、この充電情報に基づいて、充電情報を送信した無線端末１１０に対する呼び出し信号に優先度を設定する。このとき、優先度設定部１３２は、充電機能を有する無線端末１１０である移動無線端末に対する呼び出し信号に対する優先度が、充電機能を有しない無線端末１１０である固定無線端末に対する呼び出し信号に対する優先度より高くなるように設定する。例えば、優先度設定部１３２は、移動無線端末に対する呼び出し信号には、優先度が高いことを示す「高」を優先度として設定し、固定無線端末に対する呼び出し信号には、優先度が低いことを示す「低」を優先度として設定する。
【００２７】
（効果）
以上のように、本実施の形態に係る無線通信システム１００は、無線リソースの消費の制御をより好適に行うことができる。なぜならば、無線通信システム１００の通信制御装置１３０の優先度設定部１３２が、無線端末１１０から送信された、自端末が充電機能を有するか否かを示す充電情報に基づいて、当該充電情報を送信した無線端末１１０に対する呼び出し信号に優先度を設定するからである。
【００２８】
このとき、優先度設定部１３２は、充電機能を有する無線端末に対する呼び出し信号の優先度が、充電機能を有しない無線端末に対する呼び出し信号の優先度より高くなるように設定する。
【００２９】
充電機能を有する無線端末は、例えば、携帯電話端末等の移動無線端末であり、充電機能を有しない無線端末は、例えば、自動販売機等の固定無線端末である。そして、優先度設定部１３２が固定無線端末に対する呼び出し信号より、この移動無線端末に対する呼び出し信号に高い優先度を設定するため、通信制御装置１３０は、固定無線端末より移動無線端末に対する呼び出し信号を優先して送信することができる。
【００３０】
このように、本実施の形態に係る無線通信システム１００によれば、移動無線端末が移動しているか否かに拘らず、固定無線端末に対する呼び出し信号より移動無線端末に対する呼び出し信号が優先される。よって、無線通信システム１００は、所定期間移動が確認されない無線端末に対する呼び出し信号の取捨などの制御において、移動無線端末に対する通信を固定無線端末に対する通信より優先することができる。
【００３１】
したがって、本実施の形態に係る無線通信システム１００によれば、呼び出し信号の流量が増加した環境における無線リソースの消費の制御によって、優先されるべき通信が破棄されてしまことがないため、利用者は移動無線端末を用いて好適に通信を行うことができる。
【００３２】
＜第２の実施の形態＞
次に、上述した第１の実施の形態を基本とする第２の実施の形態について説明する。なお、説明の便宜上、前述した第１の実施の形態で説明した図面に含まれる部材と同じ機能を有する部材については、同じ符号を付し、その説明を省略する。
【００３３】
図２は、本実施の形態に係る無線通信システム２００の構成の概略を示す。図２に示す通り、本実施の形態に係る無線通信システム２００は、複数の移動無線端末（２１１Ａ、２１１Ｂ）と、複数の固定無線端末（２１２Ａ、２１２Ｂ）と、複数の基地局装置（１２０Ａ、１２０Ｂ）と、通信制御装置２３０とを備えている。
【００３４】
移動無線端末は、第１の実施の形態で説明した無線端末１１０の内、携帯電話端末等によって実現される無線端末である。また、固定無線端末は、第１の実施の形態で説明した無線端末１１０の内、自動販売機、スマートメータ等によって実現される無線端末である。図２に示す通り、移動無線端末２１１Ａおよび固定無線端末２１２Ａは、基地局装置１２０Ａと通信を行う。つまり、移動無線端末２１１Ａおよび固定無線端末２１２Ａは、基地局装置１２０Ａが呼び出し信号を送信可能な範囲（信号送信エリア）に存在している。この基地局装置１２０Ａの信号送信エリアを信号送信エリアＡと呼ぶ。同様に、移動無線端末２１１Ｂおよび固定無線端末２１２Ｂは、基地局装置１２０Ｂの信号送信エリアＢに存在している。
【００３５】
なお、本実施の形態では、移動無線端末と、固定無線端末とを互いに区別しない場合、または、総称する場合には、これらを無線端末２１０と呼ぶ。また、各無線端末２１０は、図１に示す第１の実施の形態の無線端末１１０と同様に、送信部１１１を備えている。送信部１１１の動作については、第１の実施の形態に係る無線端末１１０の送信部１１１と同様であるため説明を省略する。
【００３６】
基地局装置１２０Ａおよび基地局装置１２０Ｂは、夫々、第１の実施の形態に係る基地局装置１２０と同様であるため、説明を省略する。なお、本実施の形態では、基地局装置１２０Ａと基地局装置１２０Ｂとを互いに区別しない場合、または、総称する場合には、これらを基地局装置１２０と呼ぶ。
【００３７】
なお、図２の無線通信システム２００では、移動無線端末と、固定無線端末とが、１つの基地局装置に１つずつ存在していることを例に説明を行うが、移動無線端末および固定無線端末の数は限定されない。また、図２の無線通信システム２００には、２つの基地局装置が含まれているが、本発明はこれに限定されるものではなく、１以上であればよい。
【００３８】
また、図２における無線通信システム２００では、各基地局装置の信号送信エリアが、重複していないが、信号送信エリアは互いに重複した領域があってもよい。
【００３９】
本実施の形態に係る無線通信システム２００において使用可能な通信システムは、例えば、３Ｇ方式の通信システムであってもよいし、ＬＴＥ方式の通信システムであってもよい。また、本実施の形態に係る無線通信システム２００は、その他の通信規格に準拠した通信システムであってもよい。
【００４０】
（通信制御装置２３０）
次に、図３を参照して通信制御装置２３０について説明する。通信制御装置２３０は、第１の実施の形態に係る通信制御装置１３０に相当する。通信制御装置２３０は、基地局装置１２０Ａおよび基地局装置１２０Ｂの夫々と接続している。
【００４１】
図３は、本実施の形態に係る無線通信システム２００の通信制御装置２３０の機能構成の一例を示す機能ブロック図である。図３に示す通り、通信制御装置２３０は、受信部１３１、優先度設定部１３２、管理部２３３、記憶部２３４および送信部２３６を備えている。
【００４２】
記憶部２３４は、充電情報データベース２３５を記憶する記憶手段である。充電情報データベース２３５には、互いに関連付けられた、無線端末２１０を識別する端末識別情報と、この無線端末２１０が充電機能を有するか否かを示す充電情報と、この無線端末２１０と通信を行う基地局装置１２０の信号送信エリアを示す呼び出し範囲情報とが含まれる。
【００４３】
管理部２３３は、記憶部２３４に記憶された充電情報データベース２３５を管理する手段である。また、管理部２３３は、端末識別情報に関連付けられた呼び出し範囲情報が、所定期間内に異なる情報に更新されたか否かを示す更新情報を管理する。なお、更新情報は、充電情報データベース２３５に記憶されていてもよい。また、所定期間とは、通信事業者によって予め定められた期間であってもよい。
【００４４】
また、管理部２３３は、充電情報データベース２３５を参照し、参照結果を優先度設定部１３２に供給する。管理部２３３が管理する充電情報データベース２３５に関しては、図面を変えて説明する。
【００４５】
送信部２３６は、優先度設定部１３２によって、優先度が設定された呼び出し信号を、送信先の無線端末２１０に送信する。具体的には、送信部２３６は、充電情報データベース２３５を参照して、通信路の決定を行い、無線端末２１０と通信する無線チャネルを選択する。そして、送信部２３６は、呼び出し信号に設定された優先度に従って、基地局装置１２０に呼び出し信号を送信する。
【００４６】
これにより、基地局装置１２０は、受信した呼び出し信号を無線端末２１０に送信する。このようにして、通信制御装置２３０は、無線端末２１０に対し、基地局装置１２０を介して信号を送信する。なお、送信部２３６が行う通信路の決定、無線チャネルの選択は、公知の技術を用いるため、本実施の形態では説明を省略する。
【００４７】
なお、本実施の形態における通信制御装置２３０の各部は、１つの装置で実現されることを例に説明を行うが、本発明はこれに限定されるものではない。通信制御装置２３０の各部は、夫々、例えば、通信方式に応じて、別々の装置で実現されるものであってもよい。例えば、記憶部２３４は、通信制御装置２３０とは異なる記憶装置で実現されてもよい。
【００４８】
（情報登録処理）
次に、図４を参照して、本実施の形態に係る無線通信システム２００における情報登録処理について説明する。図４は、本実施の形態に係る無線通信システム２００における情報登録処理の流れの一例を示すフローチャートである。
【００４９】
上述した第１の実施の形態に係る無線端末１１０と同様に、本実施の形態に係る無線端末２１０の送信部１１１は、自端末が充電機能を有するか否かを示す充電情報を、基地局装置１２０を介して、通信制御装置２３０に送信する。送信部１１１は、例えば、自端末の位置を示す位置情報を基地局装置１２０に送信する際に、当該位置情報に充電情報を付加して送信してもよいし、充電情報のみを送信してもよい。無線端末２１０の送信部１１１が基地局装置１２０に対して情報を送信する方法は、特に限定されず、公知の技術を用いるため、本実施の形態では説明を省略する。
【００５０】
通信制御装置２３０の受信部１３１は、基地局装置１２０を介して無線端末２１０から送信された充電情報を受信する（ステップＳ４１）。受信部１３１は、受信した充電情報を、当該充電情報を送信した無線端末２１０を識別する端末識別情報と共に管理部２３３に供給する。
【００５１】
その後、管理部２３３は、受信部１３１から供給された充電情報と端末識別情報とに基づいて、記憶部２３４に記憶されている充電情報データベース２３５を更新し（ステップＳ４２）、処理を終了する。具体的には、管理部２３３は、まず、端末識別情報が充電情報データベース２３５に登録されているかを確認する。
【００５２】
そして、端末識別情報が充電情報データベース２３５に登録されている場合、管理部２３３は、受信した充電情報と、この充電情報を通信制御装置２３０に送信した基地局装置１２０の信号送信エリアを示す呼び出し範囲情報とを、更新する。
【００５３】
一方、端末識別情報が充電情報データベース２３５に登録されていない場合、管理部２３３は、端末識別情報と、受信した充電情報と、この充電情報を通信制御装置２３０に送信した基地局装置１２０の信号送信エリアを示す呼び出し範囲情報とを、互いに関連付けて、充電情報データベース２３５に登録する。
【００５４】
例えば、無線端末２１０が移動無線端末２１１Ａの場合、充電情報は充電機能を有することを示す「有」であり、呼び出し範囲情報は、図２に示すように「信号送信エリアＡ」である。よって、管理部２３３は、移動無線端末２１１Ａを示す端末識別情報と、充電情報である「有」と、呼び出し範囲情報である「信号送信エリアＡ」とを、充電情報データベース２３５に登録する。
【００５５】
また、無線端末２１０が固定無線端末２１２Ｂの場合、充電情報は充電機能を有しないことを示す「無」であり、呼び出し範囲情報は、図２に示すように「信号送信エリアＢ」である。よって、管理部２３３は、固定無線端末２１２Ｂを示す識別信号用法と、充電情報である「無」と、呼び出し範囲情報である「信号送信エリアＢ」とを、充電情報データベース２３５に登録する。
【００５６】
この情報登録処理によって情報が登録された充電情報データベースの一例を図５に示す。図５は、本実施の形態に係る無線通信システム２００において、記憶部２３４に記憶された充電情報データベース２３５の一例を示す図である。
【００５７】
図５では、図２に示す移動無線端末２１１Ａを示す端末識別情報を「ＡＡＡ」とし、固定無線端末２１２Ａの端末識別情報を「ＢＢＢ」とし、移動無線端末２１１Ｂの端末識別情報を「ＣＣＣ」とし、固定無線端末２１２Ｂの端末識別情報を「ＤＤＤ」としている。
【００５８】
図５に示す通り、充電情報データベース２３５には、移動無線端末２１１Ａの端末識別情報「ＡＡＡ」に対し、呼び出し範囲情報である「信号送信エリアＡ」および充電情報である「有」が登録されている。同様に、固定無線端末２１２Ｂの端末識別情報「ＤＤＤ」に対し、呼び出し範囲情報である「信号送信エリアＢ」および充電情報である「無」が登録されている。
【００５９】
なお、図５に示す充電情報データベース２３５において、充電情報を「有」、「無」という文字で表現しているが、本発明はこれに限定されるものではなく、充電機能を有するか否かを識別するものであればよい。
【００６０】
（優先度設定処理）
次に、図６を参照して、本実施の形態に係る無線通信システム２００における優先度設定処理について説明する。図６は、本実施の形態に係る無線通信システム２００における優先度設定処理の流れの一例を示すフローチャートである。
【００６１】
通信制御装置２３０は、ある無線端末２１０に対する呼び出し信号を、その無線端末２１０に対して送信する際、この優先度設定処理によって、当該呼び出し信号に対し優先度を設定する。
【００６２】
まず、通信制御装置２３０の管理部２３３は、更新情報を用いて、着信先（呼び出し信号の送信先）の無線端末２１０に関連付けられた呼び出し範囲情報が所定期間未更新か否かを確認する（ステップＳ６１）。
【００６３】
上記呼び出し範囲情報が所定期間未更新の場合（ステップＳ６１にてＹＥＳ）、管理部２３３は、充電情報データベース２３５を参照し、この無線端末２１０の充電情報が、「有」であるかを判定する（ステップＳ６２）。
【００６４】
充電情報が「有」の場合（ステップＳ６２にてＹＥＳ）、または、呼び出し範囲情報が所定期間内に更新されている場合（ステップＳ６１にてＮＯ）、優先度設定部１３２は、充電情報または呼び出し範囲情報に関連付けられた無線端末２１０に対する呼び出し信号の優先度を「高」に設定する（ステップＳ６３）。
【００６５】
一方、充電情報が「無」の場合（ステップＳ６２にてＮＯ）、優先度設定部１３２は、呼び出し範囲情報に関連付けられた無線端末２１０に対する呼び出し信号の優先度を「低」に設定する（ステップＳ６４）。
【００６６】
これにより、送信される呼び出し信号には、固定に設定された固定無線端末には「低」の優先度が設定され、一般加入者の無線端末である移動無線端末には「高」の優先度が設定されることになる。これにより優先度設定部１３２は、充電機能を有する移動無線端末に対する呼び出し信号に設定する優先度が、充電機能を有しない固定無線端末に対する呼び出し信号に対する優先度より高くなるように設定することができる。
【００６７】
そして、送信部２３６は、優先度が設定された呼び出し信号を、設定された優先度に従って、各無線端末２１０に送信する。
【００６８】
（効果）
以上のように、本実施の形態に係る無線通信システム２００は、第１の実施の形態に係る無線通信システム１００と同様に、無線リソースの消費の制御をより好適に行うことができる。なぜならば、無線通信システム２００の通信制御装置２３０の優先度設定部１３２が、無線端末２１０から送信された、自端末が充電機能を有するか否かを示す充電情報に基づいて、当該充電情報を送信した無線端末２１０に対する呼び出し信号に優先度を設定するからである。
【００６９】
このとき、優先度設定部１３２は、充電機能を有する無線端末に対する呼び出し信号に設定する優先度が、充電機能を有しない無線端末に対する呼び出し信号に対する優先度より高くなるように設定する。
【００７０】
また、管理部２３３は、呼び出し範囲情報が所定期間内に更新されたか否かを示す更新情報を管理する。そして、所定期間内に更新されている場合、優先度設定部１３２は、呼び出し範囲情報に関連付けられた無線端末２１０に対する呼び出し信号の優先度を高く設定する。
【００７１】
固定無線端末は、固定に設定されている自動販売機等である。「固定に設置された」を「所定期間移動しない」で判断した場合、所定期間同じ場所にいる移動無線端末は「所定期間移動しない」に相当する。しかしながら、本実施の形態に係る無線通信システム２００によれば、「所定期間移動しない」ことを判定することに加え、更に、上述したとおり、充電機能を有するか否かを判定する。
【００７２】
よって、所定期間移動しない無線端末、つまり、所定期間、基地局装置１２０の信号送信エリアの変化がない場合であっても、充電機能を有する無線端末に対する呼び出し信号の優先度を引き下げない。したがって、呼び出し信号の流量が増加した場合であっても、移動無線端末に対する呼び出し信号が破棄されることがなく、当該移動無線端末を利用する利用者は、移動無線端末を用いて好適に通信を行うことができる。
【００７３】
（ハードウェア構成について）
なお、図１および図３に示した通信制御装置の各部および図１および図２に示した無線端末の各部は、図７に例示するハードウェア資源で実現してもよい。すなわち、図７に示す構成は、ＲＡＭ（Ｒａｎｄｏｍ  Ａｃｃｅｓｓ  Ｍｅｍｏｒｙ）３０１、ＲＯＭ（Ｒｅａｄ  Ｏｎｌｙ  Ｍｅｍｏｒｙ）３０２、通信インタフェース３０３、記憶媒体３０４およびＣＰＵ（Ｃｅｎｔｒａｌ  Ｐｒｏｃｅｓｓｉｎｇ  Ｕｎｉｔ）３０５を備える。ＣＰＵ３０５は、ＲＯＭ３０２または記憶媒体３０４に記憶された各種ソフトウェアプログラム（コンピュータプログラム）を、ＲＡＭ３０１に読み出して実行することにより、通信制御装置および無線端末の全体的な動作を司る。すなわち、上記各実施形態において、ＣＰＵ３０５は、ＲＯＭ３０２または記憶媒体３０４を適宜参照しながら、通信制御装置および無線端末が備える各機能（各部）を実行するソフトウェアプログラムを実行する。
【００７４】
また、各実施形態を例に説明した本発明は、通信制御装置および無線端末に対して、上記説明した機能を実現可能なコンピュータプログラムを供給した後、そのコンピュータプログラムを、ＣＰＵ３０５がＲＡＭ３０１に読み出して実行することによって達成される。
【００７５】
また、係る供給されたコンピュータプログラムは、読み書き可能なメモリ（一時記憶媒体）またはハードディスク装置等のコンピュータ読み取り可能な記憶デバイスに格納すればよい。そして、このような場合において、本発明は、係るコンピュータプログラムを表すコード或いは係るコンピュータプログラムを格納した記憶媒体によって構成されると捉えることができる。
【００７６】
上述した各実施形態では、図１および図３に示した通信制御装置および図１および図２に示した無線端末における各ブロックに示す機能を、図７に示すＣＰＵ３０５が実行する一例として、ソフトウェアプログラムによって実現する場合について説明した。しかしながら、図１から３に示した各ブロックに示す機能は、一部または全部を、ハードウェアの回路として実現してもよい。
【００７７】
なお、上述した各実施の形態は、本発明の好適な実施の形態であり、上記各実施の形態にのみ本発明の範囲を限定するものではなく、本発明の要旨を逸脱しない範囲において当業者が上記各実施の形態の修正や代用を行い、種々の変更を施した形態を構築することが可能である。
【００７８】
上記の実施の形態の一部又は全部は、以下の付記のようにも記載されうるが、以下には限られない。
【００７９】
（付記１）無線端末と、前記無線端末と通信を行う基地局装置と、前記基地局装置と接続された通信制御装置と、を備え、前記無線端末は、自端末が充電機能を有するか否かを示す充電情報を、前記基地局装置を介して前記通信制御装置に送信する送信手段を備え、前記通信制御装置は、前記充電情報を、前記無線端末から受信する受信手段と、前記受信手段が受信した前記充電情報に基づいて、当該充電情報を送信した前記無線端末に対する呼び出し信号に優先度を設定する優先度設定手段と、を備えることを特徴とする無線通信システム。
【００８０】
（付記２）前記優先度設定手段は、充電機能を有する無線端末に対する呼び出し信号の優先度が、充電機能を有しない無線端末に対する呼び出し信号の優先度より高くなるように設定する、ことを特徴とする付記１に記載の無線通信システム。
【００８１】
（付記３）前記通信制御装置は、前記受信手段が受信した充電情報を、前記充電情報を送信した無線端末を識別する端末識別情報に関連付けて管理する管理手段を更に備える、ことを特徴とする付記１または２に記載の無線通信システム。
【００８２】
（付記４）前記管理手段は、前記無線端末と通信を行う前記基地局装置が前記呼び出し信号を送信可能な範囲を示す呼び出し範囲情報を、当該無線端末を識別する前記端末識別情報に関連付けて管理し、更に、前記管理手段は、前記呼び出し範囲情報が所定期間内に更新されたか否かを示す更新情報を管理し、前記優先度設定手段は、前記更新情報に基づいて、前記優先度を設定する、ことを特徴とする付記３に記載の無線通信システム。
【００８３】
（付記５）前記更新情報が、前記呼び出し範囲情報が所定期間内に更新されたことを示す情報の場合、前記優先度設定手段は、当該呼び出し範囲情報に関連付けられた前記無線端末に対する呼び出し信号に設定する前記優先度を高くし、前記更新情報が、前記呼び出し範囲情報が所定期間内に更新されていないことを示す情報の場合、前記優先度設定手段は、当該呼び出し範囲情報に関連付けられた前記無線端末に対する呼び出し信号に設定する前記優先度を、前記充電情報に基づいて設定する、ことを特徴とする付記４に記載の無線通信システム。
【００８４】
（付記６）前記通信制御装置は、前記優先度設定手段によって優先度が設定された呼び出し信号を、前記優先度に従って、当該呼び出し信号の送信先となる前記無線端末に対して送信する送信手段を更に備えることを特徴とする付記１から５の何れか１つに記載の無線通信システム。
【００８５】
（付記７）無線端末と通信を行う基地局装置に接続された通信制御装置であって、前記無線端末が充電機能を有するか否かを示す充電情報を、前記無線端末から受信する受信手段と、前記受信手段が受信した前記充電情報に基づいて、当該充電情報を送信した前記無線端末に対する呼び出し信号に優先度を設定する優先度設定手段と、を備えることを特徴とする通信制御装置。
【００８６】
（付記８）前記優先度設定手段は、充電機能を有する無線端末に対する呼び出し信号の優先度が、充電機能を有しない無線端末に対する呼び出し信号の優先度より高くなるように設定する、ことを特徴とする付記７に記載の通信制御装置。
【００８７】
（付記９）前記受信手段が受信した充電情報を、前記充電情報を送信した無線端末を識別する端末識別情報に関連付けて管理する管理手段を更に備える、ことを特徴とする付記７または８に記載の通信制御装置。
【００８８】
（付記１０）前記管理手段は、前記無線端末と通信を行う前記基地局装置が前記呼び出し信号を送信可能な範囲を示す呼び出し範囲情報を、当該無線端末を識別する前記端末識別情報に関連付けて管理し、更に、前記管理手段は、前記呼び出し範囲情報が所定期間内に更新されたか否かを示す更新情報を管理し、前記優先度設定手段は、前記更新情報に基づいて、前記優先度を設定する、ことを特徴とする付記９に記載の通信制御装置。
【００８９】
（付記１１）前記更新情報が、前記呼び出し範囲情報が所定期間内に更新されたことを示す情報の場合、前記優先度設定手段は、当該呼び出し範囲情報に関連付けられた前記無線端末に対する呼び出し信号に設定する前記優先度を高くし、前記更新情報が、前記呼び出し範囲情報が所定期間内に更新されていないことを示す情報の場合、前記優先度設定手段は、当該呼び出し範囲情報に関連付けられた前記無線端末に対する呼び出し信号に設定する前記優先度を、前記充電情報に基づいて設定する、ことを特徴とする付記１０に記載の通信制御装置。
【００９０】
（付記１２）前記優先度設定手段によって優先度が設定された呼び出し信号を、前記優先度に従って、当該呼び出し信号の送信先となる前記無線端末に対して送信する送信手段を更に備えることを特徴とする付記７から１１の何れか１つに記載の通信制御装置。
【００９１】
（付記１３）付記７から１２の何れか１つに記載の通信制御装置に、充電機能を有するか否かを示す充電情報を、基地局装置を介して送信する、ことを特徴とする無線端末。
【００９２】
（付記１４）無線端末と、前記無線端末と通信を行う基地局装置と、前記基地局装置と接続された通信制御装置と、を備える無線通信システムにおける通信方法であって、前記無線端末は、自端末が充電機能を有するか否かを示す充電情報を、前記基地局装置を介して前記通信制御装置に送信し、前記通信制御装置は、前記充電情報を、前記無線端末から受信し、前記充電情報に基づいて、当該充電情報を送信した前記無線端末に対する呼び出し信号に優先度を設定する、ことを特徴とする通信方法。
【００９３】
（付記１５）無線端末と通信を行う基地局装置に接続された通信制御装置の制御方法であって、前記無線端末が充電機能を有するか否かを示す充電情報を、前記無線端末から受信し、前記充電情報に基づいて、当該充電情報を送信した前記無線端末に対する呼び出し信号に優先度を設定する、ことを特徴とする制御方法。
【００９４】
（付記１６）無線端末と通信を行う基地局装置に接続された通信制御装置を含むコンピュータに、前記無線端末が充電機能を有するか否かを示す充電情報を、前記無線端末から受信する処理と、前記充電情報に基づいて、当該充電情報を送信した前記無線端末に対する呼び出し信号に優先度を設定する処理と、を実行させることを特徴とするプログラム。
【００９５】
（付記１７）付記１６に記載のプログラムを記憶する、ことを特徴とするコンピュータ読み取り可能な記録媒体。
【符号の説明】
【００９６】
１００    無線通信システム
１１０    無線端末
１１１    送信部
１２０    基地局装置
１３０    通信制御装置
１３１    受信部
１３２    優先度設定部
２００    無線通信システム
２１０    無線端末
２１１Ａ、２１１Ｂ    移動無線端末
２１２Ａ、２１２Ｂ    固定無線端末
２３０    通信制御装置
【図１】
2015226140.tif 000003
【図２】
2015226140.tif 000004
【図３】
2015226140.tif 000005
【図４】
2015226140.tif 000006
【図５】
2015226140.tif 000007
【図６】
2015226140.tif 000008
【図７】
2015226140.tif 000009